(57)【特許請求の範囲】
【請求項１】
表示部と、
前記表示部を動作制御する制御部と、
少なくとも１つの他の端末装置の識別情報を、当該識別情報が属しているグループを特定するためのグループ情報と対応付けて記憶するとともに、当該識別情報に対応付けられている表示情報を記憶する記憶部と、
近距離通信により他の端末装置から当該他の端末装置の識別情報を受信する近距離通信部とを備え、
前記制御部は、前記近距離通信部によって前記他の端末装置の識別情報が受信されている場合、前記記憶部に記憶されている前記グループ情報に基づいて、受信された前記識別情報が属している前記グループを特定し、特定された前記グループに属している全ての前記識別情報に対応付けられて前記記憶部に記憶されている前記表示情報のみが前記表示部に表示されるように、前記表示部に表示される表示情報を制限する端末装置。
【請求項２】
前記表示情報は、アドレス帳、又は通信履歴である請求項１に記載の端末装置。
【請求項３】
前記制御部は、前記近距離通信部により他の端末装置との間で通信可能な状態となって、前記表示部に表示される表示情報を制限した後、前記通信可能な状態から通信不可能な状態になると、前記表示部に表示される表示情報の制限を解除する請求項１又は請求項２に記載の端末装置。
【請求項４】
前記近距離通信部は、Ｂｌｕｅｔｏｏｔｈ（登録商標）の通信方式又はＷｉ−Ｆｉの通信方式により前記他の端末装置から近距離通信を行う請求項１乃至請求項３のいずれかに記載の端末装置。
【請求項５】
利用者によって情報が入力される操作部をさらに備え、
前記記憶部はさらに、パスワードを記憶しており、
前記制御部は、前記操作部を介して入力されたパスワードが、前記記憶部に記憶されているパスワードと一致する場合であって、かつ、前記近距離通信部によって前記他の端末装置の識別情報が受信されていない場合、前記表示部に表示される表示情報の制限を実施することなく、前記記憶部に記憶されている全ての前記表示情報を前記表示部に表示可能にし、
前記制御部は、前記近距離通信部によって前記他の端末装置の識別情報が受信されている場合には、前記操作部を介して入力されたパスワードが、前記記憶部に記憶されているパスワードと一致する場合であっても、前記表示部に表示される表示情報の制限を実施する、請求項１乃至請求項４のいずれかに記載の端末装置。
【発明の詳細な説明】
【技術分野】
【０００１】
本発明は、スマートフォン等の端末装置に関し、特に、端末装置による表示内容を制限する技術に関する。
【背景技術】
【０００２】
端末装置には、操作によりパスワードが入力されると、ロックが解除されて、動作可能になるものがある。これにより、端末装置の所有者とは異なる他の人が、この端末装置に記憶されているアドレス帳や通信履歴などの表示情報を勝手に見ることができないようにしている。
【０００３】
また、特許文献１では、連続して入力される文字または記号が１つの文字選択キーに割り当てられている場合、文字選択キーの操作で文字または記号を入力し、引き続いて確定キーを操作して、その入力された文字または記号を確定し、また連続して入力される文字または記号が異なるそれぞれの文字選択キーに割り当てられている場合、先の文字選択キーの操作で文字または記号を入力し、引き続いて後の文字選択キーを操作することで、その先に入力された文字または記号を確定している。そして、確定した文字または記号を隠蔽している。これにより、パスワードの入力に際しての該パスワードの漏洩を防止している。
【０００４】
また、特許文献２では、パスワードを入力して受け付けた場合に限って情報を表示手段に表示させるように制御する第１制御モードと、パスワードの入力受付を要することなく情報を表示手段に表示させるように制御する第２制御モードとを切替え設定することができ、第１制御モードでは、秘匿情報を隠すことなく表示させる一方、第２制御モードでは、秘匿情報を隠して表示させないようにしている。これにより、秘匿情報の漏洩を防止している。
【先行技術文献】
【特許文献】
【０００５】
【特許文献１】特開２００４−３２６５２５号公報
【特許文献２】特開２００９−２２３４７０号公報
【発明の概要】
【発明が解決しようとする課題】
【０００６】
ところで、従来は、パスワードを他の人に知られていないことを前提にして、情報の漏洩を防止していた。このため、パスワードが何らかの理由で一旦知られ、このパスワードが入力されてしまうと、端末装置は、指示された内容の情報を表示するため、情報の漏洩を防止することができない。また、自身の情報の漏洩に気付かないこともあった。
【０００７】
本発明は、上記の事情に鑑みなされたものであり、端末装置にパスワードが入力された場合であっても、情報の漏洩を防止可能にすることを目的とする。
【課題を解決するための手段】
【０００８】
本発明の一局面に係る端末装置は、表示部と、前記表示部を動作制御する制御部と、少なくとも１つの他の端末装置の識別情報を、当該識別情報が属しているグループを特定するためのグループ情報と対応付けて記憶するとともに、当該識別情報に対応付けられている表示情報を記憶する記憶部と、近距離通信により他の端末装置から当該他の端末装置の識別情報を受信する近距離通信部とを備え、前記制御部は、前記近距離通信部によって前記他の端末装置の識別情報が受信されている場合、前記記憶部に記憶されている前記グループ情報に基づいて、受信された前記識別情報が属している前記グループを特定し、特定された前記グループに属している全ての前記識別情報に対応付けられて前記記憶部に記憶されている前記表示情報のみが前記表示部に表示されるように、前記表示部に表示される表示情報を制限するものである。
【発明の効果】
【０００９】
本発明によれば、近距離通信部により特定の他の端末装置との間で通信可能な状態となったときに、表示部に表示される表示情報が制限されるため、端末装置にパスワードが入力された場合であっても、情報の漏洩を防止することができる。
【図面の簡単な説明】
【００１０】
【図１】本発明に係る一実施形態の端末装置を示すブロック図である。
【図２】図１の端末装置の記憶部に記憶されている固定識別情報データテーブルを概念的に示す図である。
【図３】図１の端末装置の記憶部に記憶されているメールアドレスデータテーブルを概念的に示す図である。
【図４】図１の端末装置の記憶部に記憶されている発着信履歴データテーブルを概念的に示す図である。
【図５】図１の端末装置の記憶部に記憶されているデータファイルのプロパティにおけるセキュリティを例示する図である。
【図６】端末装置における表示情報の表示制限を実施するための処理手順を示すフローチャートである。
【図７】（ａ）はアドレス帳の一覧の表示を制限しない状態での端末装置の画面を示す図であり、（ｂ）はアドレス帳の一覧の表示を制限した状態での端末装置の画面を示す図である。
【図８】（ａ）は発着信履歴の一覧の表示を制限しない状態での端末装置の画面を示す図であり、（ｂ）は発着信履歴の一覧の表示を制限した状態での端末装置の画面を示す図である。
【図９】（ａ）はデータファイルのアイコンの一覧の表示を制限しない状態での端末装置の画面を示す図であり、（ｂ）はデータファイルのアイコンの一覧の表示を制限した状態での端末装置の画面を示す図である。
【発明を実施するための形態】
【００１１】
以下、本発明の実施形態に係る端末装置について図面を参照して説明する。図１は、本発明に係る一実施形態の端末装置を示すブロック図である。図１において、複数の端末装置１０ａ、１０ｂ、…は、スマートフォンやＰＤＡ（Personal Digital Assistant）などの多機能型の携帯端末である。
【００１２】
各端末装置１０ａ、１０ｂ、…のいずれも、制御部１１、表示部１２、操作部１３、ネットワーク通信部１４、近距離通信部１５、及び記憶部１６等を備えている。
【００１３】
制御部１１は、各種のアプリケーションプログラム等を実行する。制御部１１は、プロセッサー、ＲＡＭ(Random Access Memory）、及びＲＯＭ（Read Only Memory）等から構成される。プロセッサーは、例えば、ＣＰＵ（Central Processing Unit）、ＭＰＵ、又はＡＳＩＣ等である。制御部１１は、例えば、上記記憶部１６に記憶された制御プログラムが上記プロセッサーにより実行されることにより、以下に示す表示制限に関する処理を実行する。
【００１４】
操作部１３は、複数のハードキーや表示部１２の画面に重ねられたタッチパネル等からなり、利用者により操作されて、アプリケーションプログラムの実行に必要な入力指示や種々の情報を受け付けて制御部１１に出力する。
【００１５】
表示部１２は、ＬＣＤ（liquid crystal display）等からなり、各種の情報を表示する。表示部１２は、タッチパネル機能を備える。ネットワーク通信部１４は、ネットワークＮを通じて他の端末装置に接続され、当該他の端末装置との間で各種のデータを送受信する。近距離通信部１５は、例えばＢｌｕｅｔｏｏｔｈ（登録商標。Ｂｌｕｅｔｏｏｔｈ Ｌｏｗ Ｅｎｅｒｇｙ（ブルートゥース・ロー・エネルギー）を含む）などの通信方式により他の端末装置との間で各種のデータを送受信する。記憶部１６は、不揮発性のメモリー等からなり、上記制御プログラム、各種のアプリケーションプログラム、及び種々の情報を記憶している。
【００１６】
このような構成において、各端末装置１０ａ、１０ｂ、…は、常時、それぞれの近距離通信部１５を通じて相互に通信する。端末装置１０ａに他の端末装置１０ｂが接近したとき（すなわち、端末装置１０ａの近距離通信部１５による通信可能圏内に他の端末装置１０ｂが入ったとき）には、端末装置１０ａの近距離通信部１５から他の端末装置１０ｂの近距離通信部１５に対して通信開始要求が送受され、これらの端末装置１０ａ、１０ｂの間で規定のプロトコル及びプロファイルに基づく相互通信が開始される。この相互通信の開始に際し、各端末装置１０ａ、１０ｂは、互いの固定識別情報（ＭＡＣアドレスなど）を取得する。なお、例えば各端末装置１０ａ、１０ｂの間の通信可能距離が５ｍ程度に設定されている。
【００１７】
ここで、各端末装置１０ａ、１０ｂ、…のいずれにおいても、操作部１３にパスワードが入力されて、制御部１１が当該入力されたパスワードが、正規のパスワードとして記憶するものと一致する場合、制御部１１は、動作制限（ロック）を解除して、操作部１３に入力される各指示に従った動作を装置各部に行わせる。このため、端末装置の所有者とは異なる者は、パスワードを知らない限り、該端末装置のロックを解除することができず、記憶部１６に記憶されている各種の情報（以下表示情報と称す）を表示部１２に表示させることができない。しかしながら、パスワードが何らかの理由で一旦第三者に知られてしまうと、端末装置の所有者とは異なる者が当該パスワードを入力すれば、該端末装置のロックを解除して、表示情報を表示部１２に表示させることができるため、情報漏洩に繋がる。
【００１８】
そこで、本実施形態では、端末装置の近距離通信部１５を通じて、当該端末装置とは異なる他の端末装置との間で通信状態となったときには、当該端末装置の表示部１２に表示する表示情報を制限する。
【００１９】
例えば、端末装置１０ａの所有者Ｘとは異なる者が他の端末装置１０ｂの所有者Ｙであるとすると、この他の端末装置１０ｂを身に着けている所有者Ｙが、端末装置１０ａのパスワードを知り、端末装置１０ａの操作部１３を操作して、パスワードを端末装置１０ａに入力したとしても、このときには各端末装置１０ａ、１０ｂの近距離通信部１５の間で相互通信可能な状態となるので、端末装置１０ａの表示部１２に表示される表示情報が制限される。これにより、パスワードのみに頼らずに、表示情報の漏洩を防止する。
【００２０】
次に、端末装置１０ａを例に挙げて、この端末装置１０ａで行われる表示制限について説明する。
【００２１】
この端末装置１０ａの制御部１１は、概ね、端末装置１０ａとは異なる他の各端末装置１０ｂ、１０ｃ、…の所有者をグループ分けし、グループ別に、アドレス帳、発着信の履歴、及びデータファイルのアイコンの表示を制限する。
【００２２】
ここで、上記のようにグループ別に、アドレス帳及び発着信の履歴の表示を制限するために、図２、図３、及び図４に示すようなそれぞれのデータテーブルＤ１、Ｄ２、Ｄ３を端末装置１０ａはその記憶部１６に予め記憶している。
【００２３】
図２は、グループ別に、端末装置１０ａとは異なる他の端末装置の所有者の氏名と固定識別情報を対応付けた固定識別情報データテーブルＤ１を概念的に示した図である。この固定識別情報データテーブルＤ１では、複数のグループＡ、Ｂ、Ｃ、…が設定され、グループ別に、他の端末装置の所有者の氏名と固定識別情報が対応付けられて設定されている。例えば、グループＡでは、所有者の氏名Ａａ、Ａｂ、…と固定識別情報ＩＤａａ、ＩＤａｂ、…が対応付けられ、またグループＢでは、所有者の氏名Ｂａ、Ｂｂ、…と固定識別情報ＩＤｂａ、ＩＤｂｂ、…が対応付けられ、更にグループＣでは、所有者の氏名Ｃａ、Ｃｂ、…と固定識別情報ＩＤｃａ、ＩＤｃｂ、…が対応付けられている。
【００２４】
端末装置１０ａでは、近距離通信部１５が、他の端末装置の近距離通信部１５との間で近距離通信を行う度に、該他の端末装置の固定識別情報を受信して記憶部１６に記憶させる。そして、端末装置１０ａの所有者Ｘが、操作部１３を操作して、固定識別情報データテーブルＤ１を作成するためのアプリケーションプログラムを起動した上で、他の端末装置の所有者の氏名を入力して、その入力した所有者の氏名とその受信した固定識別情報を対応付け、更にその受信した固定識別情報とその入力した所有者の氏名をいずれかのグループに割り振る指示を入力すると、制御部１１は、当該受信した固定識別情報とその入力した所有者の氏名をいずれかのグループに割り振るまでの処理を実行する。これにより、図２に示す固定識別情報データテーブルＤ１が作成されて記憶部１６に記憶される。
【００２５】
図３は、端末装置１０ａとは異なる他の端末装置の所有者の氏名、該所有者のメールアドレス、及び固定識別情報を対応づけたメールアドレスデータテーブルＤ２を概念的に示している。このメールアドレスデータテーブルＤ２では、所有者の氏名Ａａ、Ｂａ、Ｃａ、…と、それぞれの所有者のメールアドレスＥａａ、Ｅｂａ、Ｅｃａ、…と、固定識別情報ＩＤａａ、ＩＤｂａ、ＩＤｃａ、…とが対応付けられている。
【００２６】
端末装置１０ａでは、ネットワーク通信部１４を通じて他の端末装置との間でメールを送受信する際に、該他の端末装置の所有者のメールアドレスを取得して記憶部１６に記憶する。そして、端末装置１０ａの所有者Ｘが、操作部１３を操作して、メールアドレスデータテーブルＤ２を作成するためのアプリケーションプログラムを起動した上で、他の端末装置の所有者の氏名を入力すると、制御部１１は、その入力した所有者の氏名とその取得したメールアドレスを対応付けたり、その入力した所有者の氏名に対応する固定識別情報を固定識別情報データテーブルＤ１から検索して取得したりする処理を実行する。これにより、図３に示すメールアドレスデータテーブルＤ２が作成されて記憶部１６に記憶される。
【００２７】
図４は、端末装置１０ａとは異なる他の端末装置に対する発信又は着信の時刻、他の端末装置の所有者の氏名、及び固定識別情報を対応づけた発着信履歴データテーブルＤ３を概念的に示している。この発着信履歴データテーブルＤ３では、メールの発信又は着信の時刻と、所有者の氏名Ａａ、Ｂｂ、Ｃｃ、…と、固定識別情報ＩＤａａ、ＩＤｂｂ、ＩＤｃｃ、…とが対応付けられている。
【００２８】
端末装置１０ａでは、ネットワーク通信部１４を通じて他の端末装置との間でメールを送受信する際に、該他の端末装置の所有者のメールアドレスを取得することができるので、制御部１１は、このメールアドレスに対応する所有者の氏名及び固定識別情報をメールアドレスデータテーブルＤ２から検索して取得し、メールの発信又は着信の時刻、所有者の氏名、及び固定識別情報を対応付けて記憶部１６に逐次記憶する。これにより、図４に示す発着信履歴データテーブルＤ３が作成され、記憶部１６に記憶される。
【００２９】
また、データファイルについては、操作部１３に入力される指示に従って、制御部１１は、その表示を制限するために、データファイルのプロパティにおけるセキュリティとして、データファイルのアイコンの表示が禁止される所有者の固定識別情報を予め設定しておく。例えば、制御部１１は、図５に示すようなデータファイルＦｈのプロパティにおけるセキュリティとして、該データファイルＦｈのアイコンの表示が禁止される所有者の固定識別情報ＩＤａｂ、ＩＤｂｂを予め設定しておく。
【００３０】
次に、図６に示すフローチャートに従って、端末装置１０ａにおいて表示情報の表示制限を実施するための処理手順を説明する。
【００３１】
まず、端末装置１０ａの所有者Ｘにより、端末装置１０ａのロックが解除されて、端末装置１０ａが動作状態になっているものとする。
【００３２】
この場合、端末装置１０ａでは、近距離通信部１５は、他の端末装置の固定識別情報を受信せず（ステップＳ１０１で「Ｎｏ」）、制御部１１は、表示情報の表示制限を実施しない（ステップＳ１０２）。
【００３３】
この状態では、端末装置１０ａの所有者Ｘが操作部１３を操作することによりアドレス帳の表示を指示すると、制御部１１は、固定識別情報データテーブルＤ１を参照して、図７（ａ）に示すようにアドレス帳の一覧として全てのグループＡ、Ｂ、Ｃ、…を表示部１２の画面に表示する。そして、例えば表示部１２の画面上のグループＢがタッチ操作されて指示されると、制御部１１は、固定識別情報データテーブルＤ１を参照して、グループＢに属する全ての固定識別情報ＩＤｂａ、ＩＤｂｂ、…を求め、引き続いてメールアドレスデータテーブルＤ２を参照して、グループＢの各固定識別情報ＩＤｂａ、ＩＤｂｂ、…対応するそれぞれのメールアドレスＥｂａ、Ｅｂｂ、…を求めて、グループＢの各メールアドレスＥｂａ、Ｅｂｂ、…を表示部１２の画面に一覧表示する。同様に、表示部１２の画面上の他の各グループのいずれがタッチ操作されて指示されても、この指示されたグループの全てのメールアドレスが表示部１２の画面に一覧表示される。
【００３４】
また、端末装置１０ａの所有者Ｘが操作部１３を操作することにより発着信の履歴の表示を指示すると、制御部１１は、固定識別情報データテーブルＤ１を参照して、図８（ａ）に示すように発着信の履歴の一覧として全てのグループＡ、Ｂ、Ｃ、…を表示部１２の画面に表示する。そして、例えば表示部１２の画面上のグループＡがタッチ操作されて指示されると、制御部１１は、固定識別情報データテーブルＤ１を参照して、グループＡに属する全ての固定識別情報ＩＤａａ、ＩＤａｂ、…を求め、引き続いて発着信履歴データテーブルＤ３を参照して、グループＡの各固定識別情報ＩＤａａ、ＩＤａｂ、…対応する発信又は着信着の時刻と所有者の氏名、つまりグループＡの発着信の履歴を求めて、このグループＡの発着信の履歴を表示部１２の画面に一覧表示する。同様に、表示部１２の画面上の他の各グループのいずれがタッチ操作されて指示されても、この指示されたグループの発着信の履歴が表示部１２の画面に一覧表示される。
【００３５】
また、端末装置１０ａの所有者Ｘが操作部１３を操作することによりデータファイルの表示を指示すると、制御部１１は、図９（ａ）に示すようにデータファイルの一覧として全てのデータファイルＦａ、Ｆｂ、Ｆｃ、…のアイコンを表示部１２の画面に表示する。そして、表示部１２の画面上の各データファイルＦａ、Ｆｂ、Ｆｃ、…のアイコンのいずれがタッチ操作されても、制御部１１は、タッチ操作されたアイコンに対応するデータファイルを展開して表示部１２の画面に表示する。
【００３６】
このように端末装置１０ａの所有者Ｘが操作部１３を操作する限りは、表示情報の表示が制限されることはない。
【００３７】
一方、端末装置１０ａのパスワードが、該端末装置１０ａの所有者Ｘとは異なる者に知られてしまい、この異なる者により端末装置１０ａのロックが解除されて、端末装置１０ａが動作状態になっているものとする。また、その異なる者は、他の端末装置１０ｂの所有者Ｙであって、他の端末装置１０ｂを身に着けているものとする。
【００３８】
この状態では、他の端末装置１０ｂを身に着けている所有者Ｙが端末装置１０ａを操作している状態にあるため、端末装置１０ａは、近距離通信部１５を通じて、当該他の端末装置１０ｂとの間で通信状態となり、他の端末装置１０ｂの固定識別情報を受信する（ステップＳ１０１で「Ｙｅｓ」）。端末装置１０ａの制御部１１は、近距離通信部１５で受信された他の端末装置１０ｂの固定識別情報を固定識別情報データテーブルＤ１から検索し、この固定識別情報が割り振られたグループを検出する（ステップＳ１０３）。
【００３９】
このとき、他の端末装置１０ｂの固定識別情報が固定識別情報データテーブルＤ１における固定識別情報ＩＤａｂであって（図２）、この固定識別情報ＩＤａｂが割り振られたグループＡが検出されたものとする。この場合、制御部１１は、グループＡではないグループの存在と、当該グループＡではないグループに属する全ての固定識別情報についての表示制限を実施する（ステップＳ１０４）。
【００４０】
例えば、他の端末装置１０ｂの所有者Ｙが、端末装置１０ａの操作部１３を操作することによりアドレス帳の表示を指示すると（ステップＳ１０５で「アドレス帳」）、端末装置１０ａの制御部１１は、図７（ｂ）に示すようにアドレス帳の一覧として、ステップＳ１０３で求めたグループＡだけを端末装置１０ａの表示部１２に表示させる（ステップＳ１０６）。こ端末装置１０ａの表示部１２には、他の各グループＢ、Ｃ、…は表示されない。
【００４１】
そして、表示部１２の画面上のグループＡがタッチ操作されて操作部１３にグループ内の情報を表示させる指示が入力されると、制御部１１は、グループＡに属する全ての固定識別情報ＩＤａａ、ＩＤａｂ、…を固定識別情報データテーブルＤ１から検索し、グループＡの各固定識別情報ＩＤａａ、ＩＤａｂ、…に対応するそれぞれのメールアドレスＥａａ、Ｅａｂ、…をメールアドレスデータテーブルＤ２から検索して、このグループＡの各メールアドレスＥａａ、Ｅａｂ、…を表示部１２の画面に一覧表示させる。
【００４２】
このため、所有者Ｙは、端末装置１０ａの表示部１２の画面上でグループＡの内容を視認できるが、他の各グループＢ、Ｃ、…の内容を視認することはできない。すなわち、所有者Ｙは、グループＡを指示して、グループＡの各メールアドレスＥａａ、Ｅａｂ、…を表示部１２の画面に一覧表示させることができても、他の各グループＢ、Ｃ、…を指示することができず、他の各グループＢ、Ｃ、…の各メールアドレスを一覧表示させることもできない。
【００４３】
また、他の端末装置１０ｂの所有者Ｙが、端末装置１０ａの操作部１３を操作することにより、発着信の履歴を表示させる指示を入力すると（ステップＳ１０５で「発着信の履歴」）、制御部１１は、図８（ｂ）に示すように発着信の履歴の一覧として、ステップＳ１０３で検出したグループＡだけを表示する（ステップＳ１０７）。このため、所有者Ｙは、表示部１２の画面上のグループＡをタッチ操作して、グループＡの情報を表示させる指示を入力することはできるが、図８（ａ）に示す他の各グループＢ、Ｃ、…をタッチ操作して、グループＢ、Ｃ、…の情報を表示させる指示を入力することはできない。
【００４４】
そして、表示部１２の画面上のグループＡがタッチ操作されて操作部１３を介して、グループＡの情報を表示させる指示が入力されると、制御部１１は、グループＡに属する全ての固定識別情報ＩＤａａ、ＩＤａｂ、…を固定識別情報データテーブルＤ１から検索し、グループＡの各固定識別情報ＩＤａａ、ＩＤａｂ、…対応する発信又は着信着の時刻と所有者の氏名、つまりグループＡの発着信の履歴を発着信履歴データテーブルＤ３から検索して、このグループＡの発着信の履歴を表示部１２の画面に一覧表示する。
【００４５】
従って、所有者Ｙは、グループＡの情報を表示させる指示を入力して、グループＡの発着信の履歴を表示部１２の画面に一覧表示させることができても、他の各グループＢ、Ｃ、…の情報を表示させる指示を入力することができず、他の各グループＢ、Ｃ、…の発着信の履歴を一覧表示させることができない。
【００４６】
また、他の端末装置１０ｂの所有者Ｙが端末装置１０ａの操作部１３を操作することによりデータファイルを表示させる指示を入力すると（ステップＳ１０５で「データファイル」）、制御部１１は、全てのデータファイルＦａ、Ｆｂ、…のプロパティにおけるセキュリティを参照して、データファイルの表示が禁止される所有者の固定識別情報として、ステップＳ１０３で求めたグループＡに属する固定識別情報が設定されているか否かを判定し、当該グループＡに属する固定識別情報が設定されていないデータファイルを選択する。例えば、図５に示すようにデータファイルＦｈにおいては、プロパティのセキュリティーに、グループＡに属する固定識別情報ＩＤａｂが、表示禁止される固定識別情報として設定されているため、このデータファイルＦｈが選択されない。また、他の各データファイルＦａ〜Ｆｇにおいて、プロパティのセキュリティとして、グループＡに属する各固定識別情報のいずれも設定されていなければ、他の各データファイルＦａ〜Ｆｇが選択される。そして、制御部１１は、図９（ｂ）に示すように選択した他の各データファイルＦａ〜Ｆｇのアイコンを表示する（ステップＳ１０８）。
【００４７】
このため、所有者Ｙは、表示部１２の画面上の他の各データファイルＦａ〜Ｆｇのアイコンをタッチ操作して指示し、他の各データファイルＦａ〜Ｆｇを展開して表示部１２の画面に表示させる指示を入力することはできても、図９（ａ）に示すデータファイルＦｈのアイコンをタッチ操作してデータファイルＦｈの表示指示を入力することはできず、データファイルＦｈを展開して表示させることもできない。
【００４８】
このように、上記実施形態によれば、所有者Ｘの端末装置１０ａでは、該端末装置１０ａのロックが他の端末装置１０ｂの所有者Ｙにより解除されて、端末装置１０ａが動作状態になったときには、他の端末装置１０ｂの固定識別情報ＩＤａｂを受信して、他の端末装置１０ｂの固定識別情報ＩＤａｂが割り振られたグループＡの内容のみの表示を許可し、またデータファイルについては、固定識別情報ＩＤａｂが表示禁止の固定識別情報として設定されているデータファイルについては表示を禁止する。これにより、他の端末装置１０ｂの所有者Ｙに対する所有者Ｘの端末装置１０ａの表示情報の漏洩を防止することができる。上記実施形態によれば、端末装置１０ａは、当該所有者Ｙに対して、表示や操作を全面的に禁止するのではなく、表示内容を制限して一部のみを表示するため、当該所有者Ｙに対しては、所有者Ｙが表示制限を受けているという印象や不信感を与えることなく、端末装置１０ａに記憶されている一部の情報を隠すことができる。
【００４９】
この後、ステップＳ１０１に戻り、他の端末装置１０ｂの固定識別情報ＩＤａｂが継続して受信されていれば（ステップＳ１０１で「Ｙｅｓ」）、ステップＳ１０３からの処理を繰り返し、また他の端末装置１０ｂの固定識別情報ＩＤａｂの受信が中断又は停止すると（ステップＳ１０１で「Ｎｏ」）、表示情報の表示制限が解除される（ステップＳ１０２）。
【００５０】
なお、上記実施形態では、アドレス帳、発着信の履歴、データファイルのアイコンを例示しているが、他の種類の表示情報についても表示を制限することができる。例えば、アプリケーションプログラムについても、データファイルと同様に、プロパティにおけるセキュリティとして、アプリケーションプログラムの表示が禁止される所有者の固定識別情報を予め設定しておけば、アプリケーションプログラムのアイコンの表示を制限することができる。
【００５１】
また、グループ別ではなく、個人別に、表示情報の表示を制限しても構わない。
【００５２】
また、近距離通信部１５の通信方式として、Ｂｌｕｅｔｏｏｔｈ Ｌｏｗ Ｅｎｅｒｇｙ（ブルートゥース・ロー・エネルギー）を例示しているが、他の通信方式を適用しても構わない。例えば、Ｗｉ−Ｆｉ Ｄｉｒｅｃｔ（ワイファイダイレクト）を適用してもよい。
【００５３】
また、図１乃至図９を用いて説明した上記実施形態の構成及び処理は、本発明の一実施形態に過ぎず、本発明を当該構成及び処理に限定する趣旨ではない。
【符号の説明】
【００５４】
１０ａ、１０ｂ、…    端末装置
１１                  制御部
１２                  表示部
１３                  操作部
１４                  ネットワーク通信部
１５                  近距離通信部
１６                  記憶部
【図１】
0006589738.tif 000002
【図２】
0006589738.tif 000003
【図３】
0006589738.tif 000004
【図４】
0006589738.tif 000005
【図５】
0006589738.tif 000006
【図６】
0006589738.tif 000007
【図７】
0006589738.tif 000008
【図８】
0006589738.tif 000009
【図９】
0006589738.tif 000010